(57)【要約】      （修正有）【課題】俯角側に傾倒状態での使用時には、加熱能力を低下させるようにした電気ストーブを提供する。【解決手段】加熱能力を可変可能なヒータを備えた本体ケース部と支持部とを有し、前記本体ケース部と支持部とを回転軸ユニット４にて接続し、該回転軸ユニット４により本体ケース部を俯角側に回動可能とした電気ストーブで、前記本体ケースが俯角側に回動したことを検知する俯角検知手段１９を備え、俯角検知手段１９が本体ケース部の俯角を検知した時、ヒータの加熱能力が所定能力以上の場合は、所定能力未満まで加熱能力を強制的に低下させる制御手段を備えたものである。【選択図】図１０
2018119784.tif 000002
【特許請求の範囲】
【請求項１】
加熱能力を可変可能なヒータを備えた本体ケース部と支持部とを有し、前記本体ケース部と支持部とを回転軸ユニットにて接続し、該回転軸ユニットにより本体ケース部を俯角側に回動可能とした電気ストーブに於いて、前記本体ケース部が俯角側に回動したことを検知する俯角検知手段を備え、俯角検知手段が本体ケース部の俯角を検知した時、ヒータの加熱能力が所定能力以上の場合は、所定能力未満まで加熱能力を強制的に低下させる制御手段を備えたことを特徴とする電気ストーブ。
【請求項２】
前記俯角検知手段は、発光部と受光部とからなるフォトインタラプタで構成されたことを特徴とする請求項１記載の電気ストーブ。
【発明の詳細な説明】
【技術分野】
【０００１】
本発明は、電気ストーブに係り、特に、ヒータを俯角方向に回動自在に支持する電気ストーブに関する。
【背景技術】
【０００２】
従来、ヒータを備えた本体ケース部を正面に向けた垂直な状態から、足下を集中的に暖めるために下向きの俯角方向に調整可能な電気ストーブが知られている（例えば、特許文献１）。
【先行技術文献】
【特許文献】
【０００３】
【特許文献１】特許第４３５３０１２号公報
【発明の概要】
【発明が解決しようとする課題】
【０００４】
ところで、この従来の電気ストーブでは、本体ケース部を俯角方向に傾けて使用した場合、加熱能力が高い状態で長時間使用した場合ではあるが、床面が焦げると言う課題を有するものであった。
【課題を解決するための手段】
【０００５】
この発明はこの点に着目し上記課題を解決するため、特にその構成を、加熱能力を可変可能なヒータを備えた本体ケース部と支持部とを有し、前記本体ケース部と支持部とを回転軸ユニットにて接続し、該回転軸ユニットにより本体ケース部を俯角側に回動可能とした電気ストーブに於いて、前記本体ケース部が俯角側に回動したことを検知する俯角検知手段を備え、俯角検知手段が本体ケース部の俯角を検知した時、ヒータの加熱能力が所定能力以上の場合は、所定能力未満まで加熱能力を強制的に低下させる制御手段を備えたものである。
【０００６】
又、請求項２では、請求項１において、前記俯角検知手段は、発光部と受光部とからなるフォトインタラプタで構成されたものである。
【発明の効果】
【０００７】
以上のようにこの発明の請求項１によれば、本体ケース部が俯角方向に傾いたことを俯角検知手段が検知した時、ヒータの加熱能力が所定能力以上の場合は、所定能力未満まで加熱能力を強制的に低下させるようにしたので、俯角状態で長時間加熱されても床面を焦がすことが防止され、安全で安心して使用出来るものである。
【０００８】
又、請求項２によれば、俯角検知手段は、発光部と受光部とからなるフォトインタラプタで構成されたので、発光部から受光部への光の通過を遮蔽することを俯角検知とし、制御手段が俯角状態を確定した時、ヒータの加熱能力が所定能力以上の場合は、所定能力未満まで加熱能力を強制的に低下させるようにしたので、俯角状態で長時間加熱されても床面を焦がすことが防止され、安全で安心して使用出来るものである。
【図面の簡単な説明】
【０００９】
【図１】本発明の実施形態に係る電気ストーブの外観を示す斜視図である。
【図２】本発明の実施形態に係る回転軸ユニットの取り付け状態を説明するための図１の側面図である。
【図３】本発明の実施形態に係る回転軸ユニットの構成を示す分解斜視図である。
【図４】本発明の実施形態に係る回転軸ユニットを背面から見た斜視図である。
【図５】本発明の実施形態に係る回転軸ユニットにおける俯角位置の状態を示し、（ａ）は平面図、（ｂ）は側面図である。
【図６】本発明の実施形態に係る回転軸ユニットの動作を説明するための断面図であり、（ａ）は仰角位置における図７（ｂ）のＢ−Ｂ線断面図、（ｂ）は俯角位置における図５（ｂ）のＡ−Ａ線断面図、（ｃ）は俯角位置ではない状態を示す図７（ｃ）のＣ−Ｃ線断面図である。
【図７】本発明の実施形態に係る回転軸ユニットの動作を説明するための側面図であり、（ａ）は俯角位置、（ｂ）〜（ｅ）は仰角位置を示す。
【図８】本発明の実施形態に係る能力調節ツマミの平面図である。
【図９】本発明の実施形態に係る電気回路のブロック図である。
【図１０】本発明の実施形態に係る俯角検知手段を備えた回転軸ユニットの要部斜視図である。
【図１１】本発明の実施形態に係る俯角検知手段の底面図である。
【発明を実施するための形態】
【００１０】
本発明の実施形態に係る電気ストーブ１の構成について適宜図１から図７を参照しながら詳細に説明する。
電気ストーブ１は、図１と図２に示すように、２本のヒータ２１を備えた本体ケース部２と、本体ケース部２を支持する支持部３と、支持部３の上部に固定され本体ケース部２と支持部３とを連結する回転軸ユニット４（図２参照）と、を備えている。
【００１１】
回転軸ユニット４は、図３に示すように、本体ケース部２が縦横回転する時の回転軸５が取付けられた回転軸取付板５１と、支持部３に固定される角度調整板支え６と、仰角俯角用軸８１を中心にして仰角方向および俯角方向に回動可能に角度調整板支え６に軸支された角度調整板８と、を備えている。
【００１２】
回転軸５は、その先端部分外周がねじ切り加工されており、角度調整板８の回転軸用孔８２ａを貫通させた状態でその先端部分に角度調整板８を回転軸取付板５１に押し付けるための回転軸取付板押付ばね５２を嵌め込み、更にワッシャー５３，５４を嵌め込み、そして回転軸５の先端外周のねじ切り部分に回転軸取付板用ナット５５を係合させて、回転軸取付板５１を回転自在に角度調整板８に取り付けている。
【００１３】
角度調整板８は、断面コの字形状をなし、回転軸５が貫通する回転軸用孔８２ａが形成された正面部８２と、正面部８２の一端側から軸方向に延びる側面部である扇状をなした角度調整部８３と、正面部８２の他端側から軸方向に延びる扇状をなした角度調整部８４と、を備えている。
角度調整部８３には、仰角調整用孔８３ａと俯角調整用孔９ａが形成されている。角度調整部８４には、仰角調整用孔８４ａが形成されている。
なお、角度調整部８３には、電線固定手段（不図示）が装着されるが詳細な説明は省略する。
【００１４】
角度調整板支え６は、断面コの字状で回転軸５が貫通する回転軸用孔部６１が形成され
、仰角俯角用軸８１によって角度調整板８を角度調整自在に支持する。
角度調整板支え６は、回転軸用孔部６１が形成された背面部６２の両端が略直角に折り曲げられて角度調整板支持部６３が形成されることにより断面コの字状となっており、背面部６２と角度調整板支持部６３との折り曲げ部分に角度調整板８の角度調整部８３が貫通する角度調整部貫通孔６４が形成されている。角度調整板支持部６３の上部には、仰角俯角用軸８１を受ける軸支部６３ａが形成されている。
【００１５】
〈仰角調整の構成〉
角度調整板８の角度調整部８３には、角度調整板８の仰角がいくつかの角度で保持されるための仰角調整用孔８３ａ（８３ａ１，８３ａ２，８３ａ３，８３ａ４）が、仰角俯角用軸８１から回動半径Ｒ１（図５（ｂ）参照）の距離に複数形成されている。
【００１６】
仰角用係合体付勢手段８０は、仰角調整用孔８３ａに角度調整部８３の内側から仰角調整用係合体を付勢する手段であり、仰角調整用係合体であるボール８５ｂと、ボール８５ｂをばね８５ａで付勢して保持するボール保持部８５と、を備えている。
仰角調整用孔８３ａ（８３ａ１，８３ａ２，８３ａ３，８３ａ４）には、ボール保持部８５に収納されたボール８５ｂが角度調整部８３の内側からばね８５ａで付勢されている。
ボール保持部８５は、ボール保持部取付ねじ８５ｃ，８５ｃによって、上部と下部の２か所で角度調整板支え６の角度調整板支持部６３に取り付けられている（図６（ａ）参照）。
【００１７】
具体的には、角度調整板８は、角度調整部８３を角度調整板支え６の角度調整部貫通孔６４に貫通させた状態で角度調整板支え６に回動自在に支持されている。そして、角度調整板支持部６３の内側には、ボール８５ｂが仰角調整用孔８３ａ（８３ａ１，８３ａ２，８３ａ３，８３ａ４）にはまるように位置させた状態でボール保持部８５が角度調整板支え６に固定されている。
【００１８】
ボール保持部８５は、上部のボール保持部取付ねじ８５ｃが角度調整板支持部６３の上部ねじ挿入孔６３ｂから挿入され、中空状のスペーサー８５ｅを介してボール保持部用孔８５ｄを貫通して、ボール保持部８５のねじ切り溝８５ｆに係合されている。下部のボール保持部取付ねじ８５ｃは、角度調整板支持部６３の下部ねじ挿入孔６３ｃから挿入され中空状のスペーサー８５ｅを介して直接ボール保持部８５のねじ切り溝８５ｆに係合されている。
【００１９】
角度調整部８４と、角度調整部８４に配設されたボール保持部８６は、それぞれ仰角の調整において角度調整部８３と、角度調整部８３に配設されたボール保持部８５と同様に対をなした構成であるので同様の符号を付して詳細な説明は省略する。
【００２０】
仰角俯角用軸８１は、一端が鍔状に形成されており、他端の先端を角度調整板支え６に形成された一方の軸支部６３ａから角度調整部８４に形成された仰角俯角用軸用孔８４ｃを貫通し、更に角度調整部８３に形成された仰角俯角用軸用孔８３ｃを通って他方の軸支部６３ａにその先端が突出し、その突出した先端に軸用プッシュナット８１ａを取り付けることにより組み込まれるものである。
【００２１】
仰角の調整は、角度調整部８３に形成された仰角調整用孔８３ａ（８３ａ１，８３ａ２，８３ａ３，８３ａ４）にボール用ばね８５ａによって付勢されているボール８５ｂがそれぞれはまり込むことで仰角位置を設定できるようになっている。仰角調整用孔８３ａ（８３ａ１，８３ａ２，８３ａ３，８３ａ４）にボール８５ｂが係合された状態を回転軸ユニット４における仰角位置という。
【００２２】
仰角位置は、適宜設定されるが例えば、本体ケース部２（図２参照）に作用する自重を考慮して、仰角調整用孔８３ａ１は、本体ケース部２（図２参照）がほぼ正面を向くように設定された第１の仰角位置（図７（ｂ）参照）である。仰角調整用孔８３ａ２は第２の仰角位置（図７（ｃ）参照）、仰角調整用孔８３ａ３は第３の仰角位置（図７（ｄ）参照）、仰角調整用孔８３ａ４は第４の仰角位置（図７（ｅ）参照）である。
【００２３】
なお、図７（ｂ）〜（ｅ）は、球状体８５ｂがそれぞれ仰角調整用孔８３ａ１，８３ａ２，８３ａ３，８３ａ４に係合された回転軸ユニット４の仰角位置を示すが、本体ケース部２（図２参照）が支持部３に支持された使用状態では、本体ケース部２の自重によって本体ケース部２の仰角は、回転軸ユニット４の仰角位置よりも約５度下方（俯角方向）を向くように設定されている。
【００２４】
〈俯角調整の構成〉
俯角を調整する俯角用係合体付勢手段９は、角度調整部８３に形成された俯角調整用孔９ａと、俯角調整用孔９ａに角度調整部８３の外側から係合される球状体９１と、球状体９１を角度調整部８３の外側から俯角調整用孔９ａに付勢する板ばね９２と、を備えている。
【００２５】
俯角調整用孔９ａは、仰角俯角用軸８１から仰角調整用孔８３ａの回動半径Ｒ１よりも大きい回動半径Ｒ２の距離に配設されている。
板ばね９２は、ボール保持部８５を固定する上部のボール保持部取付ねじ８５ｃが貫通する抜け孔９２ａと、球状体９１を支持する押さえ孔９２ｂと、固定用ねじ９３の挿通孔９２ｃと、を備えている。
角度調整板支え６の角度調整板支持部６３には、球状体９１を支持する球状体支持孔６３ｄが形成されている。
【００２６】
かかる構成により、図６（ｂ）に示すように、球状体９１は、球状体支持孔６３ｄに支持された状態で角度調整板支持部６３の外側から板ばね９２によって内側方向に付勢されている。球状体９１の内側は角度調整部８３に形成された俯角調整用孔９ａに係合されることで、回転軸ユニット４における俯角位置が設定されるようになっている（図７（ａ）参照）。
なお、本実施形態においては、板ばね９２に球状体９１を支持する押さえ孔９２ｂを設けたが、これに限定されるものではなく、板ばねの製作性や剛性を考慮して押さえ孔９２ｂを設けなくてもよい。
【００２７】
回転軸ユニット４における俯角位置は、俯角調整用孔９ａに球状体９１が係合された状態をいう。
なお、図７（ａ）は、球状体９１が俯角調整用孔９ａに係合された回転軸ユニット４の俯角位置を示すが、本体ケース部２が支持部３に支持された使用状態では、本体ケース部２の自重によって本体ケース部２の俯角は５度ぐらいまで増大されるようになっている。
【００２８】
一方、図６（ｃ）に示すように、球状体９１が俯角調整用孔９ａに係合されていない状態では、球状体９１の内側が角度調整部８３の外側側面に当接したままで、球状体９１は、球状体支持孔６３ｄに支持された状態で角度調整板支持部６３の外側から板ばね９２によって内側方向に付勢されている。
【００２９】
１０は本体ケース部２の上面に備えられ２本のヒータ２１への電力の入り切りと加熱能力を弱の１〜強の１０までの１０段階に調節する能力調節ツマミで、点灯するランプの数で前記能力調節ツマミ１０による加熱能力の状態を表示する本体ケース部２の下部に備えられたパワー表示部１１と共に、操作部基板１２に接続させており、更にこの操作部基板１２には、２本のヒータ２１や首振りモータ１３を備えたパワー基板１４も電源回路１５を介して接続さけている。
【００３０】
１６は操作部基板１２内に備えられたマイコンからなる制御手段で、電気ストーブ１の転倒を検知して全停止させる転倒オフスイッチ１７や、電気ストーブ１の異常過熱を検知して全停止させるサーミスタ１８及び、本体ケース部２が俯角側に回動したことを検知する俯角検知手段１９が接続されて、ヒータ２１や首振りモータ１３の制御をするものである。
【００３１】
前記俯角検知手段１９は、発光部１９１と受光部１９２とからなるフォトインタラプタで構成されたもので、角度調整板支え６の背面部６２に発光部１９１と受光部１９２とを備え、角度調整板８に連結した遮蔽板１９３が本体ケース部２の５度の俯角回動で、発光部１９１から受光部１９２への光の通過を遮蔽することを俯角検知とし、制御手段１６が先ずはカンウトを開始して３０秒のカウントで俯角状態を確定し、そして制御手段１６は現在の加熱能力を見てこの加熱能力がダイヤル６である６００ワット以上である場合には、強制的にダイヤル６未満の６００ワット未満であるダイヤル５の５００ワットに加熱能力を低下させて、床面の焦げを防止するものであり、又この加熱能力の低下はパワー表示部１１でリアルタイムで表示されるもので、更に俯角状態の解除では、俯角検知手段１９が解除を検知することで、制御手段１６が加熱能力及び表示を元の能力に戻すものであり、極めて使用勝手が良いものである。
【００３２】
以上のように構成された本発明の実施形態に係る電気ストーブ１は、以下のような作用効果を奏する。
すなわち、図７（ａ）に示す回転軸ユニット４における俯角位置から、図７（ｂ）〜（
ｅ）に示す仰角位置まで適宜自在に俯角および仰角を調整することができる。
【００３３】
本発明の実施形態に係る電気ストーブ１は、角度調整部８３に仰角調整用孔８３ａおよび俯角調整用孔９ａを形成し、仰角調整用孔８ａの内側から付勢する仰角用係合体付勢手段８０と、俯角調整用孔９ａの外側から付勢する俯角用係合体付勢手段９と、を別個に備えたことで、仰角用係合体付勢手段８０よりも俯角用係合体付勢手段９の取り付け位置を前方にずらし、かつ俯角調整用孔９ａを仰角調整用孔８３ａの回動半径Ｒ１よりも大きい回動半径Ｒ２で配置したので、確実に俯角調整用孔９ａが仰角調整用孔８３ａに重ならないように設けることができる。
【００３４】
また、仰角用係合体付勢手段８０と俯角用係合体付勢手段９とを別個に構成することで、俯角調整用孔９ａの位置（回動半径Ｒ２）に合わせて俯角用係合体付勢手段９の付勢力を好適に設定し、仰角調整用孔８３ａの位置（回動半径Ｒ１）に合わせて仰角用係合体付勢手段８０の付勢力を好適に設定することができるので、仰角調整および俯角調整の操作感をそれぞれ好適に設定して、使用者の違和感を排除して使用感（操作感）を向上させることができる。
【００３５】
又前記のように俯角調整用孔９ａによって、本体ケース部２が俯角側に傾斜状態になると俯角検知手段１９がこれを検知し、制御手段１６がカウントを開始して３０秒で確定後は、ヒータ２１の設定されている現在の加熱能力を見て、この加熱能力が所定能力以上の場合は、制御手段１６が所定能力未満まで加熱能力を強制的に低下させるものであり、又加熱能力が所定能力未満だった場合は、低い能力をそのまま継続するようにしたことで、俯角時に高い加熱能力のままの長時間の加熱で、床面を焦がすことを確実に防止することが出来、極めて使用勝手が良いものである。
【符号の説明】
【００３６】
１    電気ストーブ
２    本体ケース部
３    支持部
４    回転軸ユニット
１６    制御手段
１９    俯角検知手段
２１    ヒータ
【図１】
2018119784.tif 000003
【図２】
2018119784.tif 000004
【図３】
2018119784.tif 000005
【図４】
2018119784.tif 000006
【図５】
2018119784.tif 000007
【図６】
2018119784.tif 000008
【図７】
2018119784.tif 000009
【図８】
2018119784.tif 000010
【図９】
2018119784.tif 000011
【図１０】
2018119784.tif 000012
【図１１】
2018119784.tif 000013